(57)【要約】【課題】  複雑な機能を単純な操作で使用可能にし、またテレビ番組を見ながらでも新着メールがあることが分かるようにする。【解決手段】 本発明の操作システムによれば、サブディスプレイ９を押すだけで様々な機能をサブディスプレイ９に表示させ、実行させることができる。また、新着メールが届いた際には、その旨もサブディスプレイ９に表示されるので、メインディスプレイ５でテレビ番組などを見ながらでも、新着メールが届いたことを知ることができる。【選択図】  図２
2005244807.tif 000002
【特許請求の範囲】
【請求項１】
少なくともテレビ番組を表示可能なメインディスプレイ、及び該メインディスプレイよりも小さい画面を有し可動式のサブディスプレイを備えた画像表示装置と、
前記画像表示装置の機能および該画像表示装置に接続された電化製品の機能の内の少なくとも３個の機能の内の幾つか（全てを除く）を前記サブディスプレイに表示する表示制御手段と、
該表示制御手段によって表示された前記機能を、他の機能に切り替える表示切替手段と、
前記サブディスプレイを可動させると、当該サブディスプレイに前記表示制御手段により表示された機能を実行する実行手段と
を備えたことを特徴とする操作システム。
【請求項２】
前記表示制御手段が、
前記少なくとも３個の機能の内の１個の機能を前記サブディスプレイに表示するものであることを特徴とする請求項１に記載の操作システム。
【請求項３】
前記サブディスプレイが、押すことができるものであることを特徴とする請求項１または２に記載の操作システム。
【請求項４】
前記サブディスプレイが、少なくともその周囲を回転させることができるものであることを特徴とする請求項１から３のいずれかに記載の操作システム。
【請求項５】
前記画像表示装置が、メールサーバーに接続可能なものであり、
前記メールサーバーに新着メールが有る場合に、新着メールがある旨を報知するメール報知手段と、
前記表示制御手段が、前記メール報知手段により新着メールが有る旨が報知された場合に、そのメールを受信する、そのメールを受信してそのメールの内容を前記メインディスプレイに表示する、そのメールを受信してそのメールの内容を前記サブディスプレイに表示する、の内の少なくとも１つを前記サブディスプレイに表示するものであることを特徴とする請求項１から４のいずれかに記載の操作システム。
【請求項６】
前記画像表示装置が、パーソナルコンピュータに接続可能なものであり、
前記表示制御手段が、そのメールを受信して当該画像表示装置に接続された前記パーソナルコンピュータに転送する機能も、前記サブディスプレイに表示可能なものであることを特徴とする請求項５に記載の操作システム。
【請求項７】
少なくともテレビ番組を表示可能なメインディスプレイ、及び該メインディスプレイよりも小さなサブディスプレイを備え、メールサーバーに接続可能な画像表示装置と、
前記メールサーバーに新着メールが有る場合に、新着メールがある旨を前記サブディスプレイに表示するメール報知手段と、
を備えたことを特徴とするメール報知システム。
【請求項８】
前記メールサーバーの新着メールを受信するメール受信手段と、
該メール受信手段が受信した新着メールを前記メインディスプレイに表示するメール表示手段と、
を備えたことを特徴とする請求項７に記載のメール報知システム。
【請求項９】
前記画像表示装置が、パーソナルコンピュータに接続可能なものであり、
前記メールサーバーの新着メールを受信するメール受信手段と、
該メール受信手段が受信した新着メールを、当該画像表示装置に接続された前記パーソナルコンピュータに転送するメール転送手段と、
を備えたことを特徴とする請求項７に記載のメール報知システム。
【発明の詳細な説明】
【技術分野】
【０００１】
本発明は、家庭などにおいて、電化製品の操作を容易にする操作システムおよびメールが来たことを報知するメール報知システムに関する。
【背景技術】
【０００２】
従来より、電化製品の高機能化や新しい電化製品の登場に伴って、その機能をユーサ゛ーが十分に使いこなせないといった課題が指摘されてきた。こうした課題を解決するために、特許文献１には、テレビ番組の録画予約操作を容易にする技術が開示されている。
【特許文献１】特開平１−２０９３９９号公報
【発明の開示】
【発明が解決しようとする課題】
【０００３】
特に近年、家庭においても、インターネットが普及し、パーソナルコンピュータ（以下、パソコンという）やモバイル端末、携帯電話等で電子メール（以下、メールという）が頻繁にやりとりされている。また、ネット家電と呼ばれる電化製品も出現しようとしている。それによりますます操作系や各種の設定が複雑になることが予想される。
【０００４】
本発明は係る課題に鑑みなされたもので、複雑な機能を単純な操作で使用可能にすることを第１の目的とする。テレビ番組を見ながらでも新着メールがあることが分かるようにすることを第２の目的とする。
【課題を解決するための手段】
【０００５】
上記第１の目的を達成するため、請求項１に記載の操作システム発明は、少なくともテレビ番組を表示可能なメインディスプレイ、及び該メインディスプレイよりも小さい画面を有し可動式のサブディスプレイを備えた画像表示装置と、前記画像表示装置の機能および該画像表示装置に接続された電化製品の機能の内の少なくとも３個の機能の内の幾つか（全てを除く）を前記サブディスプレイに表示する表示制御手段と、該表示制御手段によって表示された前記機能を、他の機能に切り替える表示切替手段と、前記サブディスプレイを可動させると、当該サブディスプレイに前記表示制御手段により表示された機能を実行する実行手段とを備えたことを特徴とする。
【０００６】
このように構成された操作システムによれば、１つのサブディスプレイを可動させれば、サブディスプレイに表示制御手段が表示させた機能を実行手段により実行させることが出来る。また、他の機能を使いたい場合は、表示切替手段により、サブディスプレイの表示を切り替えればよい。なお、画像表示装置に接続される電化製品が全くなくても、そもそも接続が不可能であっても構わない。その際にはサブディスプレイに表示される機能は全て画像表示装置の機能となる。
【０００７】
請求項２に記載の本発明は、請求項１に記載の操作システムにおいて、前記表示制御手段が、前記少なくとも３個の機能の内の１個の機能を前記サブディスプレイに表示するものであることを特徴とする。
【０００８】
このように構成された操作システムによれば、サブディスプレイ二度宇治に表示される機能が１個だけであるため、操作系が一層シンプルとなる。
請求項３に記載の本発明は、請求項１または２に記載の操作システムにおいて、前記サブディスプレイが、押すことができるものであることを特徴とする。
【０００９】
このように構成された操作システムによれば、「サブディスプレイを押す」というシンプルな動作でそのサブディスプレイに表示された機能を実行することが出来る。
請求項４に記載の本発明は、請求項１から３のいずれかに記載の操作システムにおいて、前記サブディスプレイが、少なくともその周囲を回転させることができるものであることを特徴とする。
【００１０】
このように構成された操作システムによれば、「サブディスプレイの周囲を回す」というシンプルな動作でそのサブディスプレイに表示された機能を実行することが出来る。この操作は、定量的な操作に適している。例えば、画像表示装置の明るさを変える、色合いを変える（赤っぽくする、緑っぽくする等）、音を出力可能な画像表示装置で有れば音量を変えるなどである。
【００１１】
請求項５に記載の本発明は、請求項１から４のいずれかに記載の操作システムにおいて、前記画像表示装置が、メールサーバーに接続可能なものであり、前記メールサーバーに新着メールが有る場合に、新着メールがある旨を報知するメール報知手段と、前記表示制御手段が、前記メール報知手段により新着メールが有る旨が報知された場合に、そのメールを受信する、そのメールを受信してそのメールの内容を前記メインディスプレイに表示する、そのメールを受信してそのメールの内容を前記サブディスプレイに表示する、の内の少なくとも１つを前記サブディスプレイに表示するものであることを特徴とする。
【００１２】
このように構成された操作システムによれば、メールを受信する、或いは受信したメールを読めるようにする、といったことまでサブディスプレイを可動させることで可能となる。なお、「この画像表示装置はそのメールを受信する、そのメールを受信してそのメールの内容を前記メインディスプレイに表示する、そのメールを受信してそのメールの内容を前記サブディスプレイに表示するの全てが可能」と言っているのでも、「表示切替手段によりこれらの全機能から所望の機能をサブディスプレイに表示させることが可能だ」と言っているのでもない。勿論、全て可能でも、表示可能でも構わないが、これらの内の１つが可能で、その他の機能として画像表示装置本来の機能（例えば、メインディスプレイの画像の色合いを変える、明るさを変える等）があり、これらを表示切替手段によりサブディスプレイに選択的に表示させることが可能にされていればよい。
【００１３】
請求項６に記載の本発明は、請求項５に記載の操作システムにおいて、前記画像表示装置が、パーソナルコンピュータに接続可能なものであり、前記表示制御手段が、そのメールを受信して当該画像表示装置に接続された前記パーソナルコンピュータに転送する機能も、前記サブディスプレイに表示可能なものであることを特徴とする。
【００１４】
このように構成された操作システムによれば、メールを受信してパソコンに転送する、といったことまでサブディスプレイを可動させることで可能となる。
上記第２の目的の達成するため、請求項７に記載の本発明は、少なくともテレビ番組を表示可能なメインディスプレイ、及び該メインディスプレイよりも小さなサブディスプレイを備え、メールサーバーに接続可能な画像表示装置と、前記メールサーバーに新着メールが有る場合に、新着メールがある旨を前記サブディスプレイに表示するメール報知手段とを備えたことを特徴とするメール報知システムをその要旨とする。
【００１５】
このように構成されたメール報知システムによれば、メインディスプレイで別の画像を見ている最中にも、メールが届いたことをサブディスプレイで知ることが出来る。
請求項８に記載の本発明は、請求項７に記載のメール報知システムにおいて、前記メールサーバーの新着メールを受信するメール受信手段と、該メール受信手段が受信した新着メールを前記メインディスプレイに表示するメール表示手段とを備えたことを特徴とする。
【００１６】
このように構成されたメール報知システムによれば、報知された新着メールをメインディスプレイで閲覧することも可能となる。
請求項９に記載の本発明は、請求項７に記載のメール報知システムにおいて、前記画像表示装置が、パーソナルコンピュータに接続可能なものであり、前記メールサーバーの新着メールを受信するメール受信手段と、該メール受信手段が受信した新着メールを、当該画像表示装置に接続された前記パーソナルコンピュータに転送するメール転送手段とを備えたことを特徴とする。
【００１７】
このように構成されたメール報知システムによれば、報知された新着メールをパソコンに転送することも可能となる。
【発明の効果】
【００１８】
上述のように、本発明の操作システムは、１つのサブディスプレイを可動させれば、サブディスプレイに表示制御手段が表示させた機能を実行手段により実行させることが出来る。また、他の機能を使いたい場合は、表示切替手段により、サブディスプレイの表示を切り替えればよい。
【００１９】
また、サブディスプレイに同時に表示される機能が１個とすることにより、操作系が一層シンプルとなる。
そして、「サブディスプレイを押す」というシンプルな動作でそのサブディスプレイに表示された機能を実行することも出来る。
【００２０】
また、「サブディスプレイの周囲を回す」というシンプルな動作でそのサブディスプレイに表示された機能を実行することが出来る。この操作は、定量的な操作に適している。例えば、画像表示装置の明るさを変える、色合いを変える（赤っぽくする、緑っぽくする等）、音を出力可能な画像表示装置で有れば音量を変えるなどである。
【００２１】
操作システムによれば、メールを受信する、或いは受信したメールを読めるようにする、といったことまでサブディスプレイを可動させることで可能となる。
また、本発明のメール報知システムによれば、メールを受信してパソコンに転送する、といったことまでサブディスプレイを可動させることで可能となる。
【００２２】
このように構成されたメール報知システムによれば、メインディスプレイで別の画像を見ている最中にも、メールが届いたことをサブディスプレイで知ることが出来る。
また、報知された新着メールをメインディスプレイで閲覧することも可能となる。
【００２３】
そして、報知された新着メールをパソコンに転送することも可能となる。
【発明を実施するための最良の形態】
【００２４】
以下、本発明の実施の形態を示す実施例について図１〜図８に基づいて説明する。まず、図１は本発明を適用したホームネットワークシステム１の概略を示す概念図である。ホームネットワークシステム１は、家庭の１室（例えば居間）に設置されたサブ画面付テレビジョン装置３（以下、テレビ３とも言う）を中心として構成されている。サブ画面付テレビジョン装置３はメインディスプレイ５、スピーカー６、赤外線センサ７、サブディスプレイ９などを備えており、テレビ放送を受信するためのアンテナ１０が接続されている。赤外線センサ７は、図示しないリモコンからの指令を受信するための物であり、サブディスプレイ９は後述する様々なアイコンを表示し、サブ画面付テレビジョン装置３の操作性を簡略にするための物である。
【００２５】
サブ画面付テレビジョン装置３には、インターネット回線１１を介してメールサーバー１３に接続されている。なお、インターネット回線１１としては一般電話回線、光ファイバー、ケーブルテレビ用ケーブルなどを例示できる。そして更にサブ画面付テレビジョン装置３には、３台のパソコン１５ａ、１５ｂ、１５ｃがＬＡＮケーブル１７により接続されている。パソコン１５ａはこの家庭の主人用、パソコン１５ｂは前記主人の妻用、パソコン１５ｃはこれら２人の娘用となっている。浴場用端末１９は、水温センサ２１により、浴槽２３にはられた水の温度を測定し、その結果の基づいて処理（後述）を実行するためのもので、その基本構成はＣＰＵ、ＲＡＭ、ＲＯＭを備えたコンピュータシステムとなっている（図示略）。浴場用端末１９もメールサーバー１３にインターネット回線１１にて接続されている。
【００２６】
図２にサブ画面付テレビジョン装置３およびサブディスプレイ９の正面図を示す。メインディスプレイ５およびその右方に設けられたサブディスプレイ９は、いずれも液晶表示装置となっている。サブディスプレイ９の周囲にはダイヤル２９が設けられており、これを前後方向を軸として回転させることが可能にされている（使用方法は後述）。サブ画面付テレビジョン装置３のプラグをコンセントに差すと、サブディスプレイ９には図２（ｂ）に示すような画面が表示される。中央に表示された「ＯＮ／ＯＦＦ」の文字３１は、現在、サブディスプレイ９を、サブ画面付テレビジョン装置３の電源スイッチとして使用可能であることを示している。文字３１の上下左右に表示された◇は、電源を操作するための電源アイコンであり、これ（４箇所の何れでも良い）を押すとサブ画面付テレビジョン装置３の電源をＯＮ／ＯＦＦできる。すなわち、電源がＯＦＦの状態で電源アイコン３３を押すと電源がＯＮとなり、電源がＯＮの状態で電源アイコン３３を押すと電源がＯＦＦとなる。
【００２７】
図３にサブ画面付テレビジョン装置３の内部構成を示す。サブ画面付テレビジョン装置３は、ＣＰＵ４１、ＲＯＭ４３、ＲＡＭ４５を備え、上述した各部と信号のやりとりを行うための入出力インタフェース４７と、これら各部を結ぶバス４９とを主要部として構成されている。チューナー５１は、アンテナ１０にて受信した電波から所望の周波数を抽出し復調するための物であり、復調された映像はメインディスプレイ５に表示され、復調された音声はスピーカー６から出力される。モデムは、インターネット回線１１を介したデータの送受信を行うための物である。ＬＡＮボード５５は、ＬＡＮケーブル１７を介してパソコン１５ａ〜１５ｃや浴場用端末１９とデータの送受信を行うための物である。ＨＤＤ（ハードディスクドライブ）５７は、ＣＰＵ４１にて実行するプログラムやプログラムの実行に必要なデータを保存したり、アンテナ１０にて受信した映像や音声などを記録するための物である。ボタン類５９は、メインディスプレイ５の明るさや色彩などを調整するための物であり、圧力センサ６１は、サブディスプレイ９が押されたことを検出するための物であり、回転センサ６３は、ダイヤル２９が回転された量および方向を検出するための物である。なお、これら以外の構成として、ＣＤ−ＲＯＭドライブ、プリンタ、ビデオレコーダーなどを備えていてもよく、またこれが接続されていても良い。
【００２８】
サブディスプレイ９に電源アイコン３３以外のアイコンが表示された様子を図４に示す。図４（ａ）は、サブディスプレイ９にチャンネル操作用のアイコン６５ａ、６５ｂが表示された様子である。この状態で、アイコン６５ａが表示された辺り、すなわちサブディスプレイ９の上部を押すと、テレビのチャンネルが１→２→３→…などと数字が増えていき、アイコン６５ｂが表示されたサブディスプレイ９の下部を押すと、テレビのチャンネルが７→６→５→…などと数字が減っていく。
【００２９】
図４（ｂ）は、サブディスプレイ９に音量調整用のアイコン６７が表示された様子である。この状態で、ダイヤル２９を時計回りに回転させると、スピーカー６などから発生される音声が大きくなり、ダイヤル２９を反時計回りに回転させると、スピーカー６などから発せられる音声が小さくなる。
【００３０】
サブディスプレイ９の表示を図２（ｂ）、図４（ａ）、図４（ｂ）等と切り替えるには、サブディスプレイ９の中央を押せばよい。サブディスプレイ９が押されたことを検出する圧力センサ６１、並びにダイヤル２９が回転されたことを検出する回転センサ６３および機構について図５（ａ）に示す。図５（ａ）は、サブディスプレイ９を、これを覆う蓋体６８（図２（ｂ）等を参照）と共に取り外した様子の概要を示す物である。サブディスプレイ９の裏側には、９個の圧力センサ６１が格子状に並べられている。中央の圧力センサ６１ａが、サブディスプレイ９の画面表示を図２（ｂ）、図４（ａ）、図４（ｂ）等と切り替える指示を検出するための物、その周囲にある８個の圧力センサ６１ｂが、電源のＯＮ／ＯＦＦやチャンネル切替等を検出するための物である。
【００３１】
ダイヤル２９は環状のものであり、その内周に複数の歯７１が形成されている。これらの歯７１はピニオン７３と歯合しており、ダイヤル２９が回転されるとピニオン７３も同方向に回転し、図示しない回転センサ６３によりその回転量と方向が検出され、音量が調整される。なお、ダイヤル２９の前面には円形の溝６９が形成されており、ここに蓋体６８の突起（図示せず）がはまることによりダイヤル２９は回転可能に固定される。
【００３２】
サブディスプレイ９の表示を図２（ｂ）、図４（ａ）、図４（ｂ）等と切り替えるサブディスプレイ処理を図６（ａ）に示す。本処理は、サブ画面付テレビジョン装置３のプラグがコンセントに差し込まれると起動する。本処理が起動されると、まずＳ１００にてサブディスプレイ９に初期画面（図２（ｂ）の画面）を表示する。そしてＳ１１０にて初期ポインタをセットする。ここでポインタとは、現在、サブディスプレイ９に出力されている表示（例えば図４（ａ）の表示）を示す物で、それに対してアイコンが押されたときに実行すべき処理（図４（ａ）の表示ならばチャンネルの切替用）も意味している。初期ポインタは図２（ｂ）の表示を指す。
【００３３】
こうして初期ポインタがセットされると、Ｓ１２０にて画面、ここでは特にサブディスプレイ９の中央が押されたか否かを、圧力センサ６１ａの検出結果に基づいて判定する。押されていない場合（Ｓ１２０：ＮＯ）はそのまま待機する。押された場合（Ｓ１２０：ＹＥＳ）はＳ１３０に進み、ポインタを変更する。変更のさせ方は、サブディスプレイ９の中央が押されるごとに図２（ｂ）→図５（ａ）→図５（ｂ）→図２（ｂ）となるようにする。そしてＳ１４０にてそのポインタに対応する画面をサブディスプレイ９に表示し、Ｓ１２０に戻って再び画面が押されるのを待つ。
【００３４】
サブディスプレイ９の中央ではなくアイコンを押したときに実行される機能実行処理を図６（ｂ）に示す。本処理は圧力センサ６１ｂが圧力を検出すると割り込みにより起動される。本処理が起動されると、まずＳ２００にてアイコンに相当する箇所が押されたか否かを判定する。アイコンではない箇所が押された場合は何もせずに本処理を終了する。押された場合はＳ２１０に進んでポインタが示す機能を実行してから本処理を終了する。具体的には、ポインタが図２（ｂ）の表示を指すもので有れば、電源のＯＮ／ＯＦＦを行い、ポインタが図４（ａ）の表示を指すもので有れば、チャンネル切替を行う等である。
【００３５】
なお、サブディスプレイ９を押していないのにサブディスプレイ９の表示が切り替わることがある。例えば、メールがメールサーバー１３に届いた場合であり、図５（ｂ）に例示される表示が為される。この表示を行うためのメールチェック処理を図７に示す。本処理は所定時間（例えば、３分）ごとに割り込み起動される。すなわち、所定時間が経過すると（Ｓ３００：ＹＥＳ）Ｓ３１０にて設定されている「人」を初期化する。図１に示した本システムでは、３人の人が用いており、最初の「人」としてこの家の主人が登録されているとすると、Ｓ３１０では主人が設定され、サブ画面付テレビジョン装置３に予め入力された主人のメールアドレスとメールパスワードが用意される。
【００３６】
このメールアドレス及びメールパスワードにてメールサーバー１３にアクセスして「人」（ここでは主人）にメールが届いているか否かをチェックする（Ｓ３２０）。新着メールが有れば（Ｓ３２０：ＹＥＳ）、それまでサブディスプレイ９に出力されていた表示を消去し、代わりにメールアイコン７５（図５（ｂ）参照）を表示する。図５（ｂ）ではメールアイコン７５ａが主人用、メールアイコン７５ｂがその妻用、メールアイコン７５ｃが娘用となっている。なお、メールアイコン７５ｄは、人を特定しない、この家庭に対してのメール（後述）が届いていることを示す。任意のメールアイコン７５が表示されると、ポインタはメール転送に対応する物になり、Ｓ２１０にて実行される処理は「メール転送」となる。
【００３７】
Ｓ３２０で新着メールがないと判定された場合は、Ｓ３３０の処理は飛ばされる。すなわちその「人」に対応するメールアイコン７５は表示されない。図５（ｂ）では、主人、妻、娘、および家庭に対してメールが届いていることを示している。Ｓ３３０にてメールアイコン７５を１つ表示すると、設定されている「人」（家庭を含む）が全て終了したか否かを判定する。終了していない場合（Ｓ３４０：ＮＯ）はＳ３５０に進んで「人」を更新し、Ｓ３２０に戻る。更新の仕方は、例えば、現在が主人ならば妻、妻ならば娘、娘ならば家庭と更新する。この場合、「人」が家庭になっていれば、全員終了したことになる。全員終了した場合（Ｓ３４０：ＹＥＳ）は本処理を終了する。
【００３８】
図５（ｂ）のようにメールアイコン７５が表示された状態で、アイコン７５ａ〜７５ｃを押すと、その「人」に対応する新着メールを受信し、対応する「人」のパソコンに転送し（この処理が本発明のメール転送手段に相当する）、そのメールアイコン７５を画面から消す。メールアイコン７５ｄが押された場合は、メールの内容がメインディスプレイ５に表示される。この処理が本発明のメール表示手段に相当する。図５（ｂ）の画面が一旦表示されると、サブディスプレイ９の中央を何度か押すことにより、図５（ｂ）の画面を表示させることが出来るようになる。この状態は、新着メールを全て対応するパソコン１５ａ〜１５ｃに転送し、且つ家庭宛の新着メールをメインディスプレイ５に表示するまで持続する。
【００３９】
このように構成されたホームネットワークシステムによれば、サブディスプレイ９を押すだけで様々な機能をサブディスプレイ９に表示させ、実行させることができる。また、新着メールが届いた際には、その旨もサブディスプレイ９に表示されるので、メインディスプレイ５でテレビ番組などを見ながらでも、新着メールが届いたことを知ることができる。
【００４０】
家庭宛メールを利用する湯沸かし処理について図８に示す。本処理は、浴場用端末１９で、浴槽２３の水温が適温（例えば４２℃）になったら知らせるように設定した場合に、浴場用端末１９が備えるＣＰＵ（図示しない）にて所定時間（例えば１分）ごとに実行される。本処理が起動されると、水温センサ２１のけ室結果に基づいて風呂が沸いたか否かを判定する。風呂が沸いていれば（具体的には設定温度になっていれば）、家庭宛にメールを送信し、本処理を終了する。なお、メールの内容は「お風呂が沸きました」等とすることが考えられる。風呂が沸いていないとき（Ｓ４１０：ＮＯ）は何もせずに本処理を終了する。
【００４１】
この処理によれば、風呂が沸くと家庭宛にメールが送信されるので、そのメールが届いたことを図５（ｂ）のようなサブディスプレイ９で知ることができる。具体的には、サブディスプレイ９にメールアイコン７５ｄが表示されたら、そのメールアイコン７５ｄを押すことによりメインディスプレイ５に「お風呂が沸きました」と表示されるので、自分のパソコン１５まで行って操作することなく、風呂が沸いたことを知ることが出来る。
【００４２】
ここで、本実施の形態と本発明の構成要件との対応関係を示す。サブ画面付テレビジョン装置３が本発明の画像表示装置に相当し、Ｓ１４０の処理が本発明の表示制御手段に相当し、Ｓ１２０〜Ｓ１３０の処理が本発明の表示切替手段に相当し、Ｓ２１０の処理が本発明の実行手段に相当し、Ｓ３３０の処理が本発明のメール報知手段に相当する。
【００４３】
以上、本発明の実施の形態を説明してきたが、本発明はこれに限定されるものではなく、本発明の要旨を変更しない限り、様々な態様で実施し得るものである。
例えば、浴場用端末１９とサブ画面付テレビジョン装置３をＬＡＮケーブル１７等で接続し、メールを用いることなく風呂が沸いたことをサブディスプレイ９で報知するようにしても良い。浴場用端末１９からの風呂が沸いた旨の信号をトリガとしてサブディスプレイ９に、「風呂が沸きました」等と表示されるようにすることが例示できる。
【００４４】
サブディスプレイ９にて、テレビ３以外の物を操作できるようにしても良い  例えば、エアコン、湯沸かし器などを操作可能に構成しても良い。具体的には、何度かサブディスプレイ９の中央を押すとエアコン操作用の画面や湯沸かし器を操作するための画面が表示するようにすると良い。
【００４５】
メールアイコン７５ａ〜７５ｃを押すとメールを受信してパソコン１５ａ〜１５ｃに転送するように構成したが、メインディスプレイ５やサブディスプレイ９にメールの内容を表示するようにしても良い。この際には、家族ごとの認証を行うようにするのが望ましい。
【００４６】
また、新着メールがあることを知らせるだけで、パソコン１５ａ〜１５ｃに転送しないようにしても良い。すなわち、自分のメールアイコン７５が表示された人は、各自のパソコン１５まで行ってメール受信を行う。このようにしても、例えば、テレビを見ながら新着メールの存在を知ることが出来る。
【図面の簡単な説明】
【００４７】
【図１】本発明を適用したホームネットワークシステム１の概要説明図である。
【図２】サブ画面付テレビジョン装置３の正面図およびサブディスプレイ９の拡大図である。
【図３】サブ画面付テレビジョン装置３の内部の概略構成を示すブロック図である。
【図４】サブディスプレイ９にアイコン６５，６７が表示された様子を例示する説明図である。
【図５】サブディスプレイ９が押圧されたことを検出する機構並びにダイヤル２９の回転検出機構の説明図およびサブディスプレイ９にメールアイコン７５が表示された様子を例示する説明図である。
【図６】テレビ３が備えるＣＰＵ４１にて実行されるサブディスプレイ処理、および機能実行処理の概要を示すフローチャートである。
【図７】テレビ３が備えるＣＰＵ４１にて実行されるメールチェック処理の概要を示すフローチャートである。
【図８】浴場用端末１９が備えるＣＰＵにて実行される風呂沸かし処理の概要を示すフローチャートである。
【符号の説明】
【００４８】
１…ホームネットワークシステム
３…サブ画面付テレビジョン装置
５…メインディスプレイ    ９…サブディスプレイ
１３…メールサーバー  １５ａ〜１５ｃ…パソコン
４１…ＣＰＵ          ２９…ダイヤル
【図２】
2005244807.tif 000003
【図３】
2005244807.tif 000004
【図４】
2005244807.tif 000005
【図５】
2005244807.tif 000006
【図６】
2005244807.tif 000007
【図７】
2005244807.tif 000008
【図８】
2005244807.tif 000009
【図１】
2005244807.tif 000010